(57)【要約】【課題】パチンコ玉の流出を阻止する際に、パチンコ玉通路内におけるパチンコ玉の挟み込みを防止することができ、パチンコ玉の流出を的確に阻止することができる遊技媒体通路、およびこの遊技媒体通路を備えた遊技媒体補給機を提供することを目的とする。【解決手段】遊技媒体通路は、パチンコ玉ＰＢの流下方向を変更する屈曲部４２１を有する屈曲通路４２０と、屈曲通路４２０の屈曲部４２１に設けられ、屈曲部４２１で流下方向が変更されたパチンコ玉  ＰＢが流下する方向に進退可能に設けられた突出部４４１を有し、この突出部４４１を突出させることでパチンコ玉の流下を阻止するパチンコ玉流下阻止機構４４０とを具備する。【選択図】図６
2010075333.tif 000002
【特許請求の範囲】
【請求項１】
パチンコ玉を流下させる遊技媒体通路であって、
パチンコ玉の流下方向を変更する曲部と、
前記曲部に設けられ、流下方向が変更されたパチンコ玉が流下する方向に進退可能に設けられた突出部を有し、前記突出部を突出させることでパチンコ玉の流下を阻止するパチンコ玉流下阻止機構と
を具備することを特徴とする遊技媒体通路。
【請求項２】
前記パチンコ玉流下阻止機構の突出部が、前記曲部で流下方向が変更されたパチンコ玉が流下する通路の中心に沿って進退可能に設けられていることを特徴とする請求項１記載の遊技媒体通路。
【請求項３】
前記遊技媒体通路は、外部部材に取り付けられ、少なくとも前記曲部を含む通路である屈曲通路が回動可能に設けられていることを特徴とする請求項１または２記載の遊技媒体通路。
【請求項４】
前記パチンコ玉流下阻止機構が、前記屈曲通路の回動に応じて、前記突出部を前記曲部内に突出させた状態または突出させない状態とすることを特徴とする請求項３記載の遊技媒体通路。
【請求項５】
パチンコ機の裏面に設置された、賞球用のパチンコ玉を収容する賞球タンクに、外部の供給路から供給されたパチンコ玉を補給する遊技媒体補給機であって、
請求項１乃至４のいずれか１項に記載の遊技媒体通路を備え、
前記パチンコ玉流下阻止機構が、パチンコ機の本体を閉じた際に、前記突出部が前記曲部内に突出しない状態となって前記外部の供給路から供給されたパチンコ玉を流下させて前記賞球タンクに供給可能とし、パチンコ機の本体を開いた際に、前記突出部が前記曲部内に突出した状態となって前記外部の供給路から供給されたパチンコ玉の流下を阻止することを特徴とする遊技媒体補給機。
【発明の詳細な説明】
【技術分野】
【０００１】
本発明は、パチンコ玉流下阻止機構付き遊技媒体通路、および当該パチンコ玉流下阻止機構付き遊技媒体通路を用いた、パチンコ機を複数並設してなるパチンコ島の補給経路から供給されるパチンコ玉をパチンコ機のタンクに補給する遊技媒体補給機に関する。
【背景技術】
【０００２】
例えば、パチンコ機は、遊技に使用するパチンコ玉を内部に蓄積し、蓄積したパチンコ玉を払い出すための機構として、玉タンクおよび払出装置などからなる機構を有している。そして、遊技中において、パチンコ玉は、例えば、賞球としてパチンコ機から払い出される。
【０００３】
パチンコ玉機を設置する遊技ホールでは、所定のエリアに、複数のパチンコ機を横並びに一列に配置したパチンコ島を備えている。また、パチンコ島の各パチンコ機には、玉タンクにパチンコ玉を供給するための補給機が設けられている。この補給機を介して供給されるパチンコ玉は、パチンコ玉通路を通って玉タンクに導かれる。
【０００４】
例えば、パチンコ機や補給設備などの故障時などには、パチンコ機の前面枠および本体枠を開いて検査などを行うことがある。この場合、パチンコ機の賞球タンクへのパチンコ島のパチンコ玉補給路からのパチンコ玉の補給を停止する必要がある。この供給を停止する機能を実現するため、補給機には、例えば、パチンコ機の本体枠の開閉をレバーなどの機構で検知し、本体枠を閉じた時にのみパチンコ玉の供給を可能とする機構が設けられている（例えば、特許文献１参照。）。
【０００５】
また、パチンコ玉を導出する通路であるパチンコ玉通路に玉止め機構を設け、パチンコ機の本体枠の開状態をレバーで検知した際、その玉止め機構を作動させ、パチンコ玉の流出を阻止している。また、従来の玉止め機構として、例えば、パチンコ玉通路の直線部に、パチンコ玉通路を遮るように玉止め機構の一部が突出して、パチンコ玉の流出を阻止する構成を備えるものがある。また、この玉止め機構は、プラスチック部材や金具などで形成されている。
【特許文献１】特許第２５０２７６２号公報
【発明の開示】
【発明が解決しようとする課題】
【０００６】
上記した従来の補給機における玉止め機構は、例えば、パチンコ玉通路の直線部に、パチンコ玉通路を遮るように突出部を突出させて、パチンコ玉の流出を阻止する構成を備えるため、この突出部を突出させる際、パチンコ玉通路の内壁と突出部との間に、パチンコ玉を挟み込んでしまうことがあった。これにより、パチンコ玉通路内で玉詰まりが発生するという問題があった。
【０００７】
そこで、本発明では、このような課題を解決するためになされたもので、パチンコ玉の流出を阻止する際に、パチンコ玉通路内におけるパチンコ玉の挟み込みを防止することができ、パチンコ玉の流出を的確に阻止することができる遊技媒体通路、およびこの遊技媒体通路を備えた遊技媒体補給機を提供することを目的とする。
【課題を解決するための手段】
【０００８】
上記目的を達成するために、本発明の遊技媒体通路は、パチンコ玉を流下させる遊技媒体通路であって、パチンコ玉の流下方向を変更する曲部と、前記曲部に設けられ、流下方向が変更されたパチンコ玉が流下する方向に進退可能に設けられた突出部を有し、前記突出部を突出させることでパチンコ玉の流下を阻止するパチンコ玉流下阻止機構とを具備することを特徴とする。
【０００９】
この遊技媒体通路によれば、パチンコ玉の流下方向を変更する曲部を備え、さらに、曲部で流下方向が変更されたパチンコ玉が流下する方向に進退可能に設けられた突出部を有するパチンコ玉流下阻止機構を備えることで、突出部を屈曲部内に突出させる際、曲部にパチンコ玉が存在しても、突出部によって、突出部を突出させる方向に、パチンコ玉を押し出して逃がすことができる。これによって、突出部を突出した際、突出部と通路壁面との間にパチンコ玉が挟まれることがなく、玉詰まりの発生を防止することができる。
【００１０】
なお、遊技媒体通路としては、例えば一体成型された遊技媒体通路における曲管部を含んだもの、複数の直管、曲管をパチンコ玉が流下可能に連通させたものなどが例示できる。
【００１１】
また、パチンコ玉流下阻止機構としては、下記例示のもの以外に、例えば、パチンコ機本体の台枠に対する開閉をセンサで検知し、ソレノイドなどで曲部に突出させて流下を阻止したり、曲部から退去させてパチンコ玉の流下にる供給を可能とするようにしてもよい。
【００１２】
さらに、本発明の遊技媒体通路は、前記パチンコ玉流下阻止機構の突出部が、前記曲部で流下方向が変更されたパチンコ玉が流下する通路の中心に沿って進退可能に設けられていることを特徴とする。
【００１３】
この遊技媒体通路によれば、パチンコ玉流下阻止機構の突出部を曲部で流下方向が変更されたパチンコ玉が流下する通路の中心に沿って進退可能に設けることで、突出部を突出させる方向に、パチンコ玉をより正確に押し出して逃がすことができる。これによって、突出部を突出した際、突出部と通路壁面との間にパチンコ玉が挟まれることがなく、玉詰まりの発生を防止することができる。
【００１４】
また、本発明の遊技媒体通路は、外部部材に取り付けられ、少なくとも前記曲部を含む通路である屈曲通路が回動可能に設けられていることを特徴とする。
【００１５】
この遊技媒体通路によれば、屈曲通路を回動可能に設けることで、例えば、屈曲通路から排出するパチンコ玉の排出方向を任意に設定することができる。
【００１６】
また、本発明の遊技媒体通路は、前記パチンコ玉流下阻止機構が、前記屈曲通路の回動に応じて、前記突出部を前記曲部内に突出させた状態または突出させない状態とすることを特徴とする。
【００１７】
この遊技媒体通路によれば、屈曲通路の回動に応じて、突出部を曲部内に突出させた状態または突出させない状態とすることができるので、例えば、屈曲通路の回動位置において、屈曲通路に、パチンコ玉を流下させない状態やパチンコ玉を流下さる状態を任意に設定することができる。
【００１８】
本発明の遊技媒体補給機は、パチンコ機の裏面に設置された、賞球用のパチンコ玉を収容する賞球タンクに、外部の供給路から供給されたパチンコ玉を補給する遊技媒体補給機であって、請求項１乃至４のいずれか１項に記載の遊技媒体通路を備え、前記パチンコ玉流下阻止機構が、パチンコ機の本体を閉じた際に、前記突出部が前記曲部内に突出しない状態となって前記外部の供給路から供給されたパチンコ玉を流下させて前記賞球タンクに供給可能とし、パチンコ機の本体を開いた際に、前記突出部が前記曲部内に突出した状態となって前記外部の供給路から供給されたパチンコ玉の流下を阻止することを特徴とする。
【００１９】
この遊技媒体補給機によれば、パチンコ玉流下阻止機構が、パチンコ機の本体を閉じた際に、突出部が曲部内に突出しない状態となって外部の供給路から供給されたパチンコ玉を流下させて賞球タンクに供給することができ、一方、パチンコ機の本体を開いた際に、突出部が曲部内に突出した状態となって外部の供給路から供給されたパチンコ玉の流下を阻止することができる。
【発明の効果】
【００２０】
本発明の遊技媒体通路、およびこの遊技媒体通路を備えた遊技媒体補給機によれば、パチンコ玉の流出を阻止する際に、パチンコ玉通路内におけるパチンコ玉の挟み込みを防止することができ、パチンコ玉の流出を的確に阻止することができる。
【発明を実施するための最良の形態】
【００２１】
以下、本発明に係る遊技媒体通路を備えた遊技媒体補給機４００の一実施の形態を図面を参照して説明する。
【００２２】
本発明に係る遊技媒体補給機４００を備えるパチンコ島１００の構成について、図１〜図３を参照して説明する。
【００２３】
図１は、パチンコ機２を複数並設してなるパチンコ島１００を示す斜視図である。図２は、図１に示したパチンコ島１００における、パチンコ機２の遊技において使用される台間機３を取り除いた状態のパチンコ機２の側面図である。図３は、各パチンコ機２にパチンコ玉ＰＢを補給する補給システムの概要を説明するための図である。
【００２４】
図１に示すように、パチンコ島１００は、つま板１０１間に複数のパチンコ機２、２…が並設されており、パチンコ機２、２…間には、台間機３が挟まれた状態で配置され、その上部に幕板１０２が設けられている。この幕板１０２には、例えば、獲得した遊技媒体数に対応した表示機能を備える表示機２０５が設置され、その表示機２０５の下部のランプ板上には、例えば、スランプグラフ、スタート回数、大当たり回数などの情報を表示するデータ表示機２１が設置されている。パチンコ機２、２…および台間機３は、膳板１０３上に設置されている。
【００２５】
また、パチンコ機２、２…の前方には、各パチンコ機２、２…に対応して遊技客が座る椅子（図示しない）が配置される。さらに、各パチンコ機２、２…の下方に前方に突き出し、パチンコ島１００に長手方向に設けられた天板１０４（カウンタともいう）上には、各パチンコ機２、２…のそれぞれに対応して、玉箱３００を設置する玉箱設置ベース３１０が設置されている。また、天板１０４上には、玉箱３００に収容するパチンコ玉ＰＢを台間機３内へ導く玉通路３２０が設置されている。なお、天板１０４の下方側には、天板１０４に沿ってタバコの吸殻を回収するタバコ回収搬送路（図示しない）を設置することもできる。
【００２６】
また、パチンコ機２の表面側には、台本体２００、台本体２００の前面のほぼ中央部にほぼ水平に設置される上皿２０１、この上皿２０１の下部にほぼ水平に設置される玉受け皿２０２、この玉受け皿２０２の右方に設置されるハンドル２０３が設けられている。また、玉受け皿２０２の下方には、所定の距離をおいて玉箱３００が配置される。
【００２７】
パチンコ機２は、上皿２０１に入れられたパチンコ玉ＰＢを、ハンドル２０３を回動することで台本体２００内に打ち込み、入賞して獲得した出玉を上皿２０１および玉受け皿２０２で受ける。この玉受け皿２０２の底部には、開口を有し、この開口を閉じている受け皿シャッタ２０２ａを、玉受け皿２０２の前面に設けられたシャッタ操作部２０４を遊技客が所定方向に動作することで開くことができる。この受け皿シャッタ２０２ａが開くことで、玉受け皿２０２内のパチンコ玉ＰＢを、玉受け皿２０２の下方の玉箱３００内に排出可能となる。
【００２８】
また、図２に示すように、パチンコ機２の裏面側には、アウト玉を排出するアウト玉排出部２１０、このアウト玉排出部２１０から排出されたアウト玉を受け取るアウトボックス２１１、このアウトボックス２１１のアウト玉排出孔の下方に、アウト玉数を検出するためのアウトメータ２１２が設けられている。このアウトメータ２１２で、検知されたアウト玉は、アウトボックス２１１の底部に設けられた排出口に接続された排出パイプ２１３によって、排出樋２１４に導かれ、回収される。ここで、アウト玉とは、発射玉を意味する。また、玉通路３２０によって台間機３内に導かれたパチンコ玉ＰＢは、計数部によって計数された後、台間機３の裏面に設けられた排出パイプ（図示しない）によって、排出樋２１４に導かれ、回収される。
【００２９】
また、パチンコ機２の裏面の上部には、パチンコ玉ＰＢを各パチンコ機２、２…に補給する、後述する補給システムから補給された賞球用のパチンコ玉ＰＢを収容する賞球タンク２１８が設けられている。
【００３０】
また、図２に示すように、パチンコ機２からの各種信号配線は、例えば、台間機３の裏面に設けられた入力コネクタ２１５に接続され、また、アウトメータ２１２からの信号配線は、台間機３の裏面下部に設けられた下部入力コネクタ２１６に接続される。また、パチンコ機２の外部に、出玉信号としてパチンコ機２の上皿へ供給される玉数を計数するセーフメータ（遊技媒体補給機４００に着脱自在であり、選択して内蔵可能）が設置される。なお、台間機３がいわゆるユニットの場合、対応するパチンコ機２がパチンコ玉ＰＢを貸し出す、いわゆるＣＲ機であり、セーフメータを用いずに、パチンコ機２から賞として払い出される賞玉数をパチンコ機２からの出力信号によりカウントできる。ＣＲ機の場合、貸玉数を除いた入賞に基づき、払い出される賞玉に相当するセーフ相当出力がパチンコ機から出力される。セーフメータまたはパチンコ機からの出力信号によりカウントされたパチンコ玉数である賞玉数から、台間機３やパチンコ機からの貸玉数や貸玉数に基づく金額情報などの信号による売上と、アウトメータ出力信号による発射玉数と、を減算した情報が遊技ホールにおける損益情報として演算できる。ここで、セーフとは、パチンコ機２への供給玉、つまり遊技の上皿への供給玉を意味する。
【００３１】
次に、各パチンコ機２にパチンコ玉ＰＢを補給する補給システムについて、図３を参照して説明する。なお、図３には、パチンコ島１００の内部からパチンコ機２の裏面側を見た状態が示されている。
【００３２】
図３に示すように、補給システムは、パチンコ島１００に設置され、パチンコ玉ＰＢは、供給用樋３５０を所定の方向（図３の矢印の方向）の方向に転がり、各パチンコ機２、２…に対応して設けられた供給管３６０を介して、遊技媒体補給機４００に導かれる。なお、図３に示すように、遊技媒体補給機４００は、パチンコ島１００の横梁３７０に固定されている。
【００３３】
次に、遊技媒体補給機４００について説明する。
【００３４】
図４は、パチンコ島１００の横梁３７０に固定された遊技媒体補給機４００をパチンコ島１００の内部から見たときの斜視図である。図５は、パチンコ島１００の横梁３７０に固定された遊技媒体補給機４００をパチンコ島１００の外部の水平側から見たときの平面図である。図６は、屈曲通路４２０をパチンコ島１００の内部から見たときの斜視図である。図７は、図６のＡ−Ａ断面を示す図である。図８は、パチンコ機２の本体枠が閉じられた状態、すなわちパチンコ機２の裏面に設けられた賞球タンク２１８の側壁２１８ａと回動接触部材４５０とが接触し、パチンコ玉が屈曲通路４２０を流下可能な状態における、図６のＡ−Ａ断面を示す図である。図９は、図４のＢ−Ｂ断面を示す図である。
【００３５】
遊技媒体補給機４００は、パチンコ機に補給されるパチンコ玉ＰＢの数を計数したり、パチンコ機２の本体枠を開いた時などに、賞球タンク２１８へのパチンコ玉ＰＢの補給を停止する機能を備えた装置である。
【００３６】
図４〜図６に示すように、遊技媒体補給機４００は、供給管３６０からパチンコ玉ＰＢが供給されるパチンコ玉導入通路４１０と、このパチンコ玉導入通路４１０に流入したパチンコ玉ＰＢの数を計数する計数部５４０と、この計数部５４０から流出したパチンコ玉ＰＢを通過させる通路５４５と、この通路５４５と連通し、パチンコ玉ＰＢの流下方向を変更する屈曲部４２１を有する屈曲通路４２０と、屈曲通路４２０の屈曲部４２１に設けられた、パチンコ玉ＰＢの流下を阻止するパチンコ玉流下阻止機構４４０とを備えている。なお、計数部５４０は、筺体に着脱自在であり、例えば、図４の右側方向から挿入可能である。
【００３７】
また、遊技媒体補給機４００は、パチンコ島１００の横梁３７０に固定され、位置調整手段５１０を有する固定用台座５００と、この固定用台座５００の位置調整手段５１０と係合して位置調整が可能な係止手段５３０を有し、少なくとも遊技媒体補給機本体が装着される移動用台座５２０を備えている。
【００３８】
パチンコ玉導入通路４１０は、供給管３６０からパチンコ玉ＰＢを導入するための導入口４１１を備える管状の部材で構成されている。このパチンコ玉導入通路４１０は、パチンコ玉ＰＢの数を計数する計数部５４０に回動可能に接続され、供給管３６０の位置に対応して導入口４１１の位置を変更可能に構成されている。なお、供給管３６０の端部を、導入口４１１内に挿入して、供給管３６０とパチンコ玉導入通路４１０とを連結することができる。また、ここでは、パチンコ玉導入通路４１０は、導入したパチンコ玉ＰＢを計数部５４０に流下可能なＬ字状の形状を有しているが、この形状はこれに限られるものではない。パチンコ玉導入通路４１０の形状は、供給管３６０との連結を容易に行うことができ、かつ導入したパチンコ玉ＰＢを計数部５４０に流下可能な形状であればよい。
【００３９】
ここで、計数部５４０は、通過するパチンコ玉ＰＢの数を計数するもので、例えば、パチンコ玉ＰＢを検知する検知センサなどで構成される。検知センサとして、例えば、非接点式のセンサなどが用いられ、パチンコ玉ＰＢの検知によるカウント信号は、図示しない遊技媒体補給機４００に筺体に設けられたスイッチ、または管理装置からの指示信号により選択可能な、１個または１０個のパチンコ玉ＰＢの通過を確認する毎に１パルスの電気信号を発する。また、カウント信号として、光を用いてもよい。なお、この計数部５４０で検知した情報は、例えば、パチンコ機２の制御部や遊技ホールの島コンピュータなどに出力可能に構成されている。
【００４０】
図６に示すように、屈曲通路４２０は、パチンコ玉ＰＢの流下方向を変更する屈曲部４２１を有し、この屈曲部４２１において通路がＬ字状に屈曲している。また、屈曲通路４２０の一端は、計数部５４０から下方に延び、かつ端部が略水平に屈曲する通路５４５と連通するように、かつこの端部に対して回動可能に連結されている。なお、図６には、パチンコ機２の本体枠が開かれた状態における屈曲通路４２０の状態、すなわちパチンコ玉流下阻止機構４４０によってパチンコ玉ＰＢの流下が阻止された状態が示されている。なお、本体枠は、パチンコ機２の主たる機能および構成を備えたものであり、外枠に対して開閉可能に取り付けられている。
【００４１】
また、図６および図７に示すように、屈曲通路４２０の屈曲部４２１よりも下流側の通路４２２は、直管形状を有し、その端部には、パチンコ玉ＰＢを、パチンコ機２の裏面に設けられた賞球タンク２１８に向けて排出するための排出口４２３が形成されている。また、屈曲部４２１には、屈曲部４２１で流下方向が変更されたパチンコ玉ＰＢが流下する方向、すなわちパチンコ玉ＰＢが通路４２２を流下する方向に進退可能に設けられた、パチンコ玉流下阻止機構４４０の一部である突出部４４１が、屈曲部４２１内に突出するためのスリット状の開口部４２４が形成されている。
【００４２】
また、図４に示すように、屈曲通路４２０の回動をスムーズに行うため、屈曲通路４２０の屈曲部４２１の外側面から屈曲通路４２０の回動軸に沿って回動軸体４３０が延設されている。また、この回動軸体４３０は、回動軸体支持部材４３１によって回動可能に支持されている。また、回動軸体４３０の端部には、他端が移動用台座５２０に固定された弾性部材４３２の一端が固定されている。そして、屈曲通路４２０は、この弾性部材４３２によって、屈曲通路４２０の状態が図６に示す状態、すなわちパチンコ玉流下阻止機構４４０によってパチンコ玉ＰＢの流下が阻止された状態となるように付勢されている。なお、弾性部材４３２として、例えば、バネ部材、ゴム部材などが挙げられる。
【００４３】
また、屈曲通路４２０には、パチンコ機２の本体枠が閉じられた際、パチンコ機２の裏面に設けられた賞球タンク２１８の側壁２１８ａと接触して、屈曲通路４２０を、図８に示すパチンコ玉が流下可能な状態に回動するための回動接触部材４５０が備えられている。この回動接触部材４５０は、図７に示す、パチンコ玉流下阻止機構４４０によってパチンコ玉ＰＢの流下が阻止された状態で説明すると、パチンコ島１００内部から外部に向かって突出し、先端部が下方を向く、断面Ｌ字状の板状の部材で構成されている。また、この回動接触部材４５０の一部は、屈曲通路４２０の下面に固定されている。回動接触部材４５０は、例えば、金属や樹脂などで構成される。なお、この回動接触部材４５０は、回動補助部材として機能する。
【００４４】
パチンコ玉流下阻止機構４４０は、例えば、図６に示すように、支持部材４４２と、一端側が支持部材４４２に巻回され、他端側がＶ字状に折り返された、金属などの棒状部材４４３とで構成されている。このＶ字状に折り返された他端側が突出部４４１を形成している。なお、他端側の形状はＶ字状に限られるものではなく、パチンコ玉ＰＢの流下を阻止できる形状であればよい。
【００４５】
また、パチンコ玉流下阻止機構４４０は、屈曲通路４２０の状態が図６に示す状態、すなわちパチンコ機２の本体枠が開かれた状態において、屈曲部４２１に形成された開口部４２４から、屈曲部４２１で流下方向が変更されたパチンコ玉ＰＢが流下する方向に突出部４４１を突出可能な位置に配置される。さらに、パチンコ玉流下阻止機構４４０は、図８に示すように、パチンコ機２の本体枠が閉じられ、パチンコ機２の裏面に設けられた賞球タンク２１８の側壁２１８ａと回動接触部材４５０とが接触して、屈曲通路４２０の排出口４２３が下方を向く方向（図８の矢印の方向）に屈曲通路４２０が回動された状態において、突出部４４１が屈曲部４２１内に突出しない位置に配置される。
【００４６】
なお、突出部４４１は、屈曲部４２１で流下方向が変更されたパチンコ玉ＰＢが流下する通路４２２の中心軸に沿って進退可能に設けられることが好ましい。この場合、突出部４４１を屈曲部４２１内に突出させる開口部４２４は、突出部４４１が、通路４２２の中心軸に沿って進退可能なように形成される。これによって、例えば、突出部４４１を屈曲部４２１内に突出させる際、屈曲部４２１にパチンコ玉ＰＢが存在しても、突出部４４１によって、突出部４４１を突出させる方向に、パチンコ玉ＰＢをより正確に押し出して逃がすことができる。そのため、突出部４４１を突出した際、突出部４４１と通路壁面との間にパチンコ玉ＰＢが挟まれることがなく、玉詰まりの発生を防止することができる。
【００４７】
ここで、パチンコ玉流下阻止機構４４０は、上記した構成に限られるものではない。例えば、屈曲部４２１に形成された開口部４２４から、屈曲部４２１で流下方向が変更されたパチンコ玉ＰＢが流下する方向に突出部を突出可能なソレノイドなどで構成してもよい。この場合、例えば、パチンコ機２の本体枠の開閉状態を検知する開閉検知手段を備え、パチンコ機２の制御部が、この検知手段からの情報に基づいて、ソレノイドを制御するように構成できる。なお、開閉検知手段は、例えば、光センサや接点センサなどで構成される。
【００４８】
また、図４および図５に示すように、遊技媒体補給機本体を構成する、パチンコ玉導入通路４１０、屈曲通路４２０、パチンコ玉流下阻止機構４４０、回動接触部材４５０、計数部５４０などは、移動用台座５２０に設置されている。移動用台座５２０は、例えば、樹脂などの平板状の部材で構成れている。また、図９に示すように、移動用台座５２０の左右の上下方向に延びる端縁には、固定用台座５００の位置調整手段５１０と係合して、移動用台座５２０の上下方向の位置を調整するための、複数の係合凹部５３０ａを有する係止手段５３０が形成されている。
【００４９】
固定用台座５００は、図４に示すように、パチンコ島１００の横梁３７０に、例えば、ねじ止めなどによって固定されている。この固定用台座５００は、例えば、樹脂などの平板状の部材で構成れている。また、固定用台座５００の左右の上下方向には、ガイド部材５０１が設けられている。このガイド部材５０１は、移動用台座５２０を摺動しながら上下方向に導くための、ガイド溝５０２を備えている。
【００５０】
また、固定用台座５００には、一端側と他端側との間に、固定用台座５００と接触して本体を支持する支持部材５１１を備えた、板状の位置調整手段５１０が設けられている。この位置調整手段５１０の他端には、図９に示すように、移動用台座５２０の係合凹部５３０ａに係合する係合突起５１０ａが形成されている。また、係合突起５１０ａが形成された他端は、ガイド部材５０１の開口部５０３に位置し、係合突起５１０ａをガイド溝５０２内に突出できるように配置されている。また、図４に示すように、この他端は、係合突起５１０ａがガイド溝５０２内に突出できる方向に、例えばバネ部材などの弾性部材５１２によって常に付勢されている。また、位置調整手段５１０の一端側を、弾性部材５１２による付勢力に逆らって押圧すると、支持部材５１１を支持軸として、他端側がガイド部材５０１の開口部５０３内から外側の方向に移動される。これによって、他端の係合突起５１０ａと移動用台座５２０の係合凹部５３０ａとの係合を解除することができ、固定用台座５００に対して移動用台座５２０を移動することが可能となる。
【００５１】
なお、ここでは、固定用台座５００の左右の双方に位置調整手段５１０、および移動用台座５２０の左右の双方に係止手段５３０を備えた一例を示したが、左右のどちらか一方の側に位置調整手段５１０と係止手段５３０とを備える構成でもよい。
【００５２】
このように、固定用台座５００に位置調整手段５１０、および移動用台座５２０に係止手段５３０を備えることで、固定用台座５００に対して移動用台座５２０を移動することが可能となる。また、回動接触部材４５０をパチンコ機２の裏面に設けられた賞球タンク２１８の側壁２１８ａに接触させるための位置合わせを容易に行うことができる。これによって、賞球タンク２１８の設置位置が異なるパチンコ機２にも遊技媒体補給機４００を適用することが可能となる。
【００５３】
ここで、屈曲通路４２０およびパチンコ玉流下阻止機構４４０の動作について説明する。
【００５４】
まず、パチンコ機２の本体枠が開かれた状態では、屈曲通路４２０は、弾性部材４３２の付勢力により、屈曲通路４２０の排出口４２３が、パチンコ島１００の外側に向かってほぼ水平方向を向く位置に回動され、その位置に維持される（図７参照）。この状態では、図７に示すように、パチンコ玉流下阻止機構４４０の突出部４４１が、開口部４２４から屈曲通路４２０の屈曲部４２１内に突出した状態となり、パチンコ玉ＰＢは、屈曲通路４２０の通路４２２側へ流下することはできない。
【００５５】
また、図７に示すように、突出部４４１を屈曲部４２１内に突出させる際、屈曲部４２１にパチンコ玉ＰＢが存在した場合、パチンコ玉ＰＢは、突出部４４１によって、突出部４４１を突出させる方向、すなわち通路４２２における流下方向に押し出され、通路４２２を流下する。
【００５６】
続いて、この状態からパチンコ機２の本体枠が閉じられると、パチンコ機２の裏面に設けられた賞球タンク２１８の側壁２１８ａと回動接触部材４５０とが接触して、屈曲通路４２０の排出口４２３が下方を向く方向（図８の矢印の方向）に、弾性部材４３２の付勢力に逆らって、屈曲通路４２０が回動される。屈曲通路４２０が回動すると、突出部４４１は、屈曲部４２１の内部から外部に移動するとともに、開口部４２４の回動接触部材４５０側の端部が、突出部４４１に接触し、突出部４４１を上方に押し上げる。これによって、突出部４４１は、開口部４２４よりも外側に位置する。これによって、パチンコ玉ＰＢは、屈曲通路４２０を流下可能となる。そして、屈曲通路４２０を流下したパチンコ玉ＰＢは、図８に示すように、パチンコ機２の裏面に設けられた賞球タンク２１８内に導かれる。
【００５７】
上記したように、本発明に係る遊技媒体通路および遊技媒体通路を備えた遊技媒体補給機４００によれば、パチンコ玉を流下する屈曲部４２１を有する屈曲通路４２０に、屈曲部４２１で流下方向が変更されたパチンコ玉ＰＢが流下する方向に進退可能に設けられた突出部４４１を備えることで、突出部４４１を屈曲部４２１内に突出させる際、屈曲部４２１にパチンコ玉ＰＢが存在しても、突出部４４１によって、突出部４４１を突出させる方向に、パチンコ玉ＰＢを押し出して逃がすことができる。これによって、突出部４４１を突出した際、突出部４４１と通路壁面との間にパチンコ玉ＰＢが挟まれることがなく、玉詰まりの発生を防止することができる。
【００５８】
また、本発明に係る遊技媒体通路を備えた遊技媒体補給機４００によれば、パチンコ機２の本体枠が開閉動作に対応して、屈曲通路４２０を回動させることができる。これによって、パチンコ機２の本体枠が開かれた状態では、パチンコ玉流下阻止機構４４０の突出部４４１が、開口部４２４から屈曲通路４２０の屈曲部４２１内に突出した状態とすることができる。そのため、パチンコ機２の本体枠が開かれた状態では、パチンコ玉ＰＢが、屈曲通路４２０の通路４２２側へ流下することはできない状態を維持することができる。
【００５９】
また、パチンコ機２の本体枠が開かれた際、屈曲部４２１にパチンコ玉ＰＢが存在しても、上記したように、パチンコ玉ＰＢは、突出部４４１によって、突出部４４１を突出させる方向に押し出され、玉詰まりを発生することなく通路４２２を流下することができる。
【００６０】
一方、パチンコ機２の本体枠が閉じられた状態では、パチンコ機２の裏面に設けられた賞球タンク２１８の側壁２１８ａと回動接触部材４５０とが接触して、屈曲通路４２０の排出口４２３が下方を向く方向に、屈曲通路４２０を回動させ、突出部４４１を開口部４２４よりも外側に位置させることができる。そのため、パチンコ機２の本体枠が閉じられた状態では、パチンコ玉ＰＢが屈曲通路４２０を流下し、賞球タンク２１８に導かれる状態を維持することができる。
【００６１】
以上、本発明を一実施の形態により具体的に説明したが、本発明はこれらの実施の形態にのみ限定されるものではなく、その要旨を逸脱しない範囲で種々変更可能である。
【図面の簡単な説明】
【００６２】
【図１】パチンコ機を複数並設してなるパチンコ島を示す斜視図。
【図２】図１に示したパチンコ島における、パチンコ機の遊技において使用される台間機を取り除いた状態のパチンコ機の側面図。
【図３】各パチンコ機にパチンコ玉を補給する補給システムの概要を説明するための図。
【図４】パチンコ島の横梁に固定された遊技媒体補給機をパチンコ島の内部から見たときの斜視図。
【図５】パチンコ島の横梁に固定された遊技媒体補給機をパチンコ島の外部の水平側から見たときの平面図。
【図６】屈曲通路をパチンコ島の内部から見たときの斜視図。
【図７】図６のＡ−Ａ断面を示す図。
【図８】パチンコ機の本体枠が閉じられた状態、すなわちパチンコ機の裏面に設けられた賞球タンクの側壁と回動接触部材とが接触し、パチンコ玉が屈曲通路を流下可能な状態における、図６のＡ−Ａ断面を示す図。
【図９】図４のＢ−Ｂ断面を示す図。
【符号の説明】
【００６３】
２…パチンコ機、３…台間機、２１…データ表示機、１００…パチンコ島、１０１…つま板、１０２…幕板、１０３…膳板、１０４…天板、２００…台本体、２０１…上皿、２０２…玉受け皿、２０２ａ…受け皿シャッタ、２０３…ハンドル、２０４…シャッタ操作部、２０５…表示機、２１０…アウト玉排出部、２１１…アウトボックス、２１２…アウトメータ、２１３…排出パイプ、２１４…排出樋、２１５…入力コネクタ、２１６…下部入力コネクタ、２１８…賞球タンク、２１８ａ…側壁、３００…玉箱、３１０…玉箱設置ベース、３２０…玉通路、３５０…供給用樋、３６０…供給管、３７０…横梁、４００…遊技媒体補給機、４１０…パチンコ玉導入通路、４１１…導入口、４２０…屈曲通路、４２１…屈曲部、４２２、５４５…通路、４２３…排出口、４２４、５０３…開口部、４３０…回動軸体、４３１…回動軸体支持部材、４３２、５１２…弾性部材、４４０…パチンコ玉流下阻止機構、４４１…突出部、４４２、５１１…支持部材、４４３…棒状部材、４５０…回動接触部材、５００…固定用台座、５０１…ガイド部材、５０２…ガイド溝、５１０…位置調整手段、５１０ａ…係合突起、５２０…移動用台座、５３０…係止手段、５３０ａ…係合凹部、５４０…計数部、ＰＢ…パチンコ玉。
【図１】
2010075333.tif 000003
【図２】
2010075333.tif 000004
【図３】
2010075333.tif 000005
【図４】
2010075333.tif 000006
【図５】
2010075333.tif 000007
【図６】
2010075333.tif 000008
【図７】
2010075333.tif 000009
【図８】
2010075333.tif 000010
【図９】
2010075333.tif 000011